(57)【要約】【課題】  部品組み込み不良、フィルム給送動作不良等を防止することができるとともに、部品点数および組み立て作業工数を減らしてコストアップを防ぐ。【解決手段】  フィルムを巻取りスプールに押圧するフィルム押え部材と、撮影レンズから入射するピント調整光を反射させる反射部材とを有するカメラにおいて、フィルム押え部材と反射部材とを一体に形成した。【選択図】  図２
2005128434.tif 000002
【特許請求の範囲】
【請求項１】
フィルムを巻取りスプールに押圧するフィルム押え部材と、撮影レンズから入射するピント調整光を反射させる反射部材とを有するカメラにおいて、
前記フィルム押え部材と前記反射部材とを一体に形成したことを特徴とするカメラ。
【請求項２】
フィルムを巻取りスプールに押圧するフィルム押え部材と、フォトリフレクタから投光される光を反射させる反射部材とを有するカメラにおいて、
前記フィルム押え部材と前記反射部材とを一体に形成したことを特徴とするカメラ。
【請求項３】
フィルムを巻取りスプールに押圧するフィルム押え部材と、撮影レンズから入射するピント調整光を反射させる第１の反射部材と、フォトリフレクタから投光される光を反射させる第２の反射部材とを有するカメラにおいて、
前記フィルム押え部材と前記第１の反射部材と前記第２の反射部材とを一体に形成したことを特徴とするカメラ。
【請求項４】
撮影レンズから入射するピント調整光を反射させる第１の反射部材と、フォトリフレクタから投光される光を反射させる第２の反射部材とを有するカメラにおいて、
前記第１の反射部材と前記第２の反射部材とを一体に形成したことを特徴とするカメラ。
【請求項５】
前記フィルム押え部材と、前記反射部材は、アパーチャーに対向する位置となるように、樹脂で形成され、フィルムを押圧保持する圧板に設けられたことを特徴とする請求項１から４のいずれか１つに記載のカメラ。
【請求項６】
一体に連結する連結部は、前記圧板のフィルム押圧部の裏側に配置されたことを特徴とする請求項１から４のいずれか１つに記載のカメラ。
【請求項７】
一体に連結する連結部は、前記圧板のフィルム押圧部側に配置されたことを特徴とする請求項１から４のいずれか１つに記載のカメラ。
【請求項８】
前記第２の反射部材は、前記フィルムの１駒割り出しを検出することを特徴とする請求項２から４のいずれか１つに記載のカメラ。
【請求項９】
前記第２の反射部材は、前記フィルムの給送速度を検出することを特徴とする請求項２から４のいずれか１つに記載のカメラ。
【請求項１０】
前記第２の反射部材は、前記フィルムの磁気記録層への情報記録タイミング検出することを特徴とする請求項２から４のいずれか１つに記載のカメラ。
【請求項１１】
前記連結部は、前記圧板のフィルム押圧部より低い位置に配置したことを特徴とする請求項７に記載のカメラ。
【請求項１２】
前記フィルム押え部材は、前記巻取りスプールに当接させた時にチャージされるバネ圧を利用して、前記圧板に保持させることを特徴とする請求項１又は３に記載のカメラ。
【請求項１３】
前記連結部に、基板のＧＮＤパターンと接続させる突起部を設けたことを特徴とする請求項６又は７に記載のカメラ。
【請求項１４】
アパーチャに対向して配置されフィルムを押圧保持する圧板と、該圧板を前記アパーチャ方向に付勢する付勢部材とを有するカメラにおいて、
前記付勢部材に、撮影レンズから入射するピント調整光を反射させる反射部を設けたことを特徴とするカメラ。
【請求項１５】
前記圧板と前記付勢部材は、カメラ本体に対して開閉可能に嵌合支持された裏蓋に設けられていることを特徴とする請求項１４に記載のカメラ。
【発明の詳細な説明】
【技術分野】
【０００１】
本発明は、撮影レンズの結像位置に配置され、フィルムを押圧保持する圧板を有し、撮影レンズのピント位置調整やフィルム給送検出を必要とするカメラに関するものである。
【背景技術】
【０００２】
このようなカメラとしては、例えば、撮影レンズから入射するピント調整光を反射させる反射板を、接着等により圧板のフィルム押圧部に形成された凹部に固定されているものがある（例えば、特許文献１参照）。また、圧板に固定されたフォトリフレクタから投光される光を反射させる反射板を接着等により、カメラ本体のフィルム走行部に形成された凹部に固定されている。
【特許文献１】特開平１１−１８４００１号公報
【発明の開示】
【発明が解決しようとする課題】
【０００３】
しかしながら、特許文献１にて提案されているカメラの場合、反射板の形状が小さく、厚みが薄いため、反射板の組込み作業が困難であり反射板が傾いて圧板の凹部に固定された場合、反射板の端部が圧板のフィルム押圧部から突出してしまい、フィルム給送動作不良やピント調整不良、更にはフィルム給送時にフィルムの撮影画面内に擦り傷が発生する。また、圧板を構成する部品、及び組立て作業工数が増えるといった問題がある。
【０００４】
また、カメラ本体の凹部に固定される反射板の場合も、特許文献１に記載の反射板と同様に形状が小さく、厚みが薄いため、反射板の組込み作業が困難であり反射板が傾いて圧板の凹部に固定された場合、反射板の端部が圧板のフィルム押圧部から突出してしまい、フィルム給送動作不良やフィルム給送時にフィルムに擦り傷が発生する。
【０００５】
また、カメラ本体を構成する部品、及び組立て作業工数が増えるといった問題がある。また、フィルム走行時に静電気が発生し、カメラ動作不良が発生するといった問題がある。
【０００６】
そこで、本発明の第１の目的は、カメラを大型化することなく部品を組込み易い形状にして部品組込み不良を無くし、フィルム給送動作不良やピント調整不良、フィルム給送によるフィルム擦り傷を確実に防止する。また、部品点数、及び組立て作業工数を削減し、コストアップを防ぐことができるカメラを提供するものである。
【０００７】
本発明の第２の目的は、接着やビス止めの工程が不要となり、部品交換が容易にすることができるカメラを提供するものである。
【０００８】
本発明の第３の目的は、フィルム給送時に発生する静電気を逃がし、カメラの動作不良を確実に防止することができるカメラを提供するものである。
【０００９】
本発明の第４の目的は、カメラを大型化することなく部品を組込み易い形状にして部品組込み不良を無くし、フィルム給送動作不良やフィルム給送によるフィルム擦り傷を確実に防止する。また、部品点数及び組立て作業工数を削減し、コストアップを防ぐ。また、ピント調整用工具、及びピント調整用工具の着脱作業が不要とすることができるカメラを提供するものである。
【課題を解決するための手段】
【００１０】
上記、第１の目的を達成するために、請求項１に記載の本発明は、フィルムを巻取りスプールに押圧するフィルム押え部材と、撮影レンズから入射するピント調整光を反射させる反射部材とを有するカメラにおいて、前記フィルム押え部材と前記反射部材とを一体に形成したことを特徴とする。
【００１１】
また、第１の目的を達成するために、請求項２に記載の本発明は、フィルムを巻取りスプールに押圧するフィルム押え部材と、フォトリフレクタから投光される光を反射させる反射部材とを有するカメラにおいて、前記フィルム押え部材と前記反射部材とを一体に形成したことを特徴とするとする。
【００１２】
また、第１の目的を達成するために、請求項３に記載の本発明は、フィルムを巻取りスプールに押圧するフィルム押え部材と、撮影レンズから入射するピント調整光を反射させる第１の反射部材と、フォトリフレクタから投光される光を反射させる第２の反射部材とを有するカメラにおいて、前記フィルム押え部材と前記第１の反射部材と前記第２の反射部材とを一体に形成したことを特徴とする。
【００１３】
また、第１の目的を達成するために、請求項４に記載の本発明は、撮影レンズから入射するピント調整光を反射させる第１の反射部材と、フォトリフレクタから投光される光を反射させる第２の反射部材とを有するカメラにおいて、前記第１の反射部材と前記第２の反射部材とを一体に形成したことを特徴とする。
【００１４】
また、第１の目的を達成するために、請求項５に記載の本発明は、請求項１から４記載のカメラにおいて、前記フィルム押え部材と、前記反射部材は、アパーチャーに対向する位置となるように、樹脂で形成され、フィルムを押圧保持する圧板に設けられたことを特徴とする。
【００１５】
また、第１の目的を達成するために、請求項６に記載の本発明は、請求項１から４記載のカメラにおいて、一体に連結する連結部は、前記圧板のフィルム押圧部の裏側に配置されたことを特徴とする。
【００１６】
また、第１の目的を達成するために、請求項７に記載の本発明は、請求項１から４記載のカメラにおいて、一体に連結する連結部は、前記圧板のフィルム押圧部側に配置されたことを特徴とする。
【００１７】
また、第１の目的を達成するために、請求項８に記載の本発明は、請求項２から４記載のカメラにおいて、前記第２の反射部材は、前記フィルムの１駒割り出しを検出することを特徴とする。
【００１８】
また、第１の目的を達成するために、請求項９に記載の本発明は、請求項２から４記載のカメラにおいて、前記第２の反射部材は、前記フィルムの給送速度を検出することを特徴とする。
【００１９】
また、第１の目的を達成するために、請求項１０に記載の本発明は、請求項２から４記載のカメラにおいて、前記第２の反射部材は、前記フィルムの磁気記録層への情報記録タイミング検出することを特徴とする。
【００２０】
また、第１の目的を達成するために、請求項１１に記載の本発明は、請求項７記載のカメラにおいて、前記連結部は、前記圧板のフィルム押圧部より低い位置に配置したことを特徴とする。
【００２１】
請求項１、３記載のカメラにおいて、前記フィルム押え部材は、前記巻取りスプールに当接させた時にチャージされるバネ圧を利用して、前記圧板に保持させることを特徴とする。
【００２２】
また、第２の目的を達成するために、請求項１２に記載の本発明は、請求項１、３記載のカメラにおいて、前記フィルム押え部材は、前記巻取りスプールに当接させた時にチャージされるバネ圧を利用して、前記圧板に保持させることを特徴とする。
【００２３】
また、第３の目的を達成するために、請求項１３に記載の本発明は、請求項６、７記載のカメラにおいて、前記連結部に、基板のＧＮＤパターンと接続させる突起部を設けたことを特徴とする。
【００２４】
また、第４の目的を達成するために、請求項１４に記載の本発明は、アパーチャに対向して配置されフィルムを押圧保持する圧板と、該圧板を前記アパーチャ方向に付勢する付勢部材とを有するカメラにおいて、前記付勢部材に、撮影レンズから入射するピント調整光を反射させる反射部を設けたことを特徴とする。
【００２５】
また、第４の目的を達成するために、請求項１５に記載の本発明は、請求項１４記載のカメラにおいて、前記圧板と前記付勢部材は、カメラ本体に対して開閉可能に嵌合支持された裏蓋に設けられていることを特徴とする。
【発明の効果】
【００２６】
請求項１から１１に記載の本発明によれば、カメラを大型化することなく部品を組込み易い形状にして部品組込み不良を無くし、フィルム給送動作不良やピント調整不良、フィルム給送によるフィルム擦り傷を確実に防止する。また、部品点数及び組立て作業工数を削減し、コストアップを防ぐことができるカメラを提供するものである。
【００２７】
請求項１２に記載の本発明によれば、接着やビス止めの工程が不要となり、部品交換が容易にすることができる。
【００２８】
請求項１３に記載の本発明によれば、フィルム給送時に発生する静電気を逃がし、カメラの動作不良を確実に防止することができる。
【００２９】
請求項１４、１５に記載の本発明によれば、カメラを大型化することなく部品を組込み易い形状にして部品組込み不良を無くし、フィルム給送動作不良やフィルム給送によるフィルム擦り傷を確実に防止する。また、部品点数及び組立て作業工数を削減し、コストアップを防ぐ。また、ピント調整用工具、及びピント調整用工具の着脱作業が不要とすることができる。
【発明を実施するための最良の形態】
【００３０】
以下、本発明の実施例について説明する。
【実施例１】
【００３１】
以下、本発明の実施例１に係るカメラを図１から図６を参照しながら説明する。
【００３２】
図１は圧板の組込み状態を示すカメラ本体の後方分解斜視図、図２は図１における圧板の構成を示す前方分解斜視図、図３は図１における圧板の構成を示す後方分解斜視図、図４は図２における圧板の前方斜視図、図５は図３における圧板の後方斜視図、図６は図１におけるカメラ本体の巻取りフィルム巻取り室を示すカメラ本体の中央横断面図である。
【００３３】
１はカメラ本体で、カメラ本体１の右側にはフィルムカートリッジを収納するカートリッジ収納室１ａと、カメラ本体１の左側には巻き取ったフィルムを収納するフィルム巻取り室１ｂと、カートリッジ収納室１ａとフィルム巻取り室１ｂとの間には撮影画面を形成する長方形状したアパーチャ１ｃが形成されている。
【００３４】
また、アパーチャ１ｃの上下位置にはそれぞれフィルム給送方向に延びる内レール１ｄと外レール１ｅが形成されている。フィルム巻取り室１ｂ内にはフィルムを巻き取るスプール２と、カートリッジ収納室１ａから送り出されるフィルムをスプール２に押圧するフィルム押え板３が配置されている。このフィルム押え板３の先端部には回転可能に嵌合支持されたローラー４が設けられており、スプール２の周面に当接するようになっている。
【００３５】
また、カメラ本体１の上部の内レール１ｄと外レール１ｅとの間には、後述するフォトリフレクタ７から投光される光を反射させる反射板５がフォトリフレクタ７と対向する位置に接着によりカメラ本体１に固定されている。また、カメラ本体１の下部の内レール１ｄと外レール１ｅとの間には、フィルムを後述する磁気ヘッド８に押圧するパッド１５が磁気ヘッド８と対向する位置に配置されている。
【００３６】
６は樹脂から成る圧板で、フィルム押圧部６ａ(図２参照)が形成されており、カメラ本体１の外レール１ｅに当接させることで、圧板６のフィルム押圧部６ａとカメラ本体１の内レール１ｄとの間にフィルムを走行させる隙間を構成すると共に、フィルムをカメラ本体１のアパーチャ１ｃ方向に押圧保持している。
【００３７】
この圧板６は、カメラ本体１のアパーチャ１ｃと対向する位置(撮影レンズの結像位置)に配置され、カメラ本体１の背面の開口部１ｆを覆っており、ビス１４によりカメラ本体１に固定されている。この圧板６には、図２、図３に示すように、後述するフォトリフレクタ７を保持する保持穴６ｂと、フォトリフレクタ７から投光される光を通過させる開口部６ｃと、後述する磁気ヘッド８の当接部８ａをフィルム走行部に貫通させる開口部６ｄと、後述する第１の反射部材９の反射部９ａをフィルム走行部に貫通させる開口部６ｅと、第１の反射部材９の反射部９ａの光軸方向の高さを規制する規制部６ｆと、第１の反射部材９組込時に挿入する挿入口６ｇが形成されている。
【００３８】
７はフォトリフレクタで、フィルムの１駒割り出し及び給送速度の検出制御を行っている。このフォトリフレクタ７は、反射板５と対向する位置に配置され、圧板６の保持穴６ｂに挿入し接着により図５に示すように、圧板６に固定されている。
【００３９】
８は磁気ヘッドで、磁気記録層を有するフィルムが給送された時、磁気記録層に対して磁気情報の記録、或いは再生を行っている。この磁気ヘッド８は、パッド１５と対向する位置に配置され、圧板６のフィルム押圧部６ａの裏側から組込まれ接着により図５に示すように、圧板６に固定されている。この時、磁気ヘッド８のヘッド部８ａは、図４に示すように、圧板６の開口部６ｄを貫通させ、フィルムの磁気記録層と当接するようになっている。
【００４０】
９は第１の反射部材で、組立て時やサービス調整時に、不図示の撮影レンズのピント調整を行う時、ピント測定器から照射されるピント調整光を不図示の撮影レンズの光軸上に形成された凸形状の反射部９ａで反射させている。ピント調整光は、レンズ光軸と平行に照射され撮影レンズを通過させ、反射部９ａでレンズ光軸と平行に反射させ、再度撮影レンズを通過させてピント測定器に導いている。
【００４１】
この第１の反射部材９は、図５に示すように、圧板６のフィルム押圧部６ａの裏側から組込み、第１の反射部材９の先端部を圧板６の規制部６ｆに当接させることで、図４に示すように、圧板６の開口部６ｅを貫通する反射部９ａと圧板６のフィルム押圧部６ａとの光軸方向の高さを同じにしている。
【００４２】
１０はフィルム押え部材で、カメラ本体１のカートリッジ収納室１ａから送り出されるフィルムをスプール２に押圧している。このフィルム押え部材は、カメラ本体１のフィルム巻取り室１ｂと対向する位置に配置され、圧板６のフィルム押圧部６ａ側に設けられている。このフィルム押え部材１０の先端部１０ａにはスプール２の周面に当接するローラー１２が回転可能に嵌合支持されている。
【００４３】
１１は連結部で、圧板６のフィルム押圧部６ａの裏側に配置され、第１の反射部材９とフィルム押え部材１０を一体的に連結している。この連結部１１には突起部１１ａが形成されており、この突起部１１ａが図６に示すように、後述する基板１３が組込まれた時、基板１３に設けられたＧＮＤパターンと接続させて、フィルム走行時に発生す静電気を逃がしている。
【００４４】
一体化された第１の反射部材９とフィルム押え部材１０は、第１の反射部材９と連結部１１を圧板６の挿入口６ｇから挿入することで、圧板６のフィルム押圧面６ａの裏側に配置され、フィルム押え部材１０を圧板６の支持軸６ｈと嵌合させることで位置が決まり、圧板６をカメラ本体１に組込みことで、図６に示すように、フィルム押え部材１０がスプール２と当接しＡの状態(一点鎖線)からＢの状態(実線)までチャージされるバネ圧を利用して圧板に保持されている。
【００４５】
１３は基板で、圧板６のフィルム押圧部６ａの裏側に配置され、圧板６と同様にビス１４によりカメラ本体１に固定されている。
【００４６】
上記説明したように、実施例１によれば、第１の反射部材９とフィルム押え部材１０とを一体化することで、第１の反射部材９が組込み易くなり、第１の反射部材９の組込み不良によるフィルム給送動作、及びピント調整不良を確実に防止することができると共に、構成する部品点数、及び組立て作業工数の削減を図ることができる。
【００４７】
また、連結部１１を圧板６のフィルム押圧部６ａの裏側に配置することで、フィルム給送時に発生するフィルム擦り傷を確実に防止することができる。また、連結部１１の突起部１１ａを回路のＧＮＤパターンと接続させることで、フィルム給送時に発生する静電気を逃がすことができ、カメラ動作不良を確実に防止することができる。また、カメラ本体１に組込んだ時にチャージされるフィルム押え部材１０のバネ圧を利用して圧板６に保持することで、接着やビス止めの工程が不要となり、部品交換が容易にできる。
【実施例２】
【００４８】
本発明の実施例２に係るカメラを図７から図９を参照しながら説明する。図７は圧板の構成を示す前方分解斜視図、図８は圧板の構成を示す後方分解斜視図、図９は図７における圧板の前方斜視図である。
【００４９】
本実施例において、実施例１と同じ構成要素には同じ参照番号を付してその説明を省略し、実施例１と異なる構成に関してのみ説明する。
【００５０】
実施例２で実施例１と異なるのは、連結部１１、及び突起部１１ａが、フィルム押え部材１０と同様に圧板６のフィルム押圧部６ａ側に配置され、第１の反射部材９が圧板６のフィルム押圧部６ａ側から組込む構成になっていることのみである。
【００５１】
上記構成により、第１の反射部材９と連結部１１は、圧板６のフィルム押圧部６ａの一部に形成された凹部６ｊ内に配置され、第１の反射部材９の先端に形成された係止爪９ｂを凹部６ｊの先端部に形成された係止孔６ｋに係止させて、第１の反射部材９の浮き防止と、第１の反射部材９の反射部９ａと圧板６のフィルム押圧部６ａとの高さを同じにしている。
【００５２】
また、連結部１１の突起部１１ａは、凹部６ｊの中央部に形成された開口部６ｌを貫通し基板１３と接触するようにしている。また、一体化された第１の反射部材９とフィルム押え部材１０は、圧板６の軸６ｈを加締めることで圧板６に固定されている。
【００５３】
上記説明したように、実施例２によれば、第１の反射部材９とフィルム押え部材１０とを一体化することで、第１の反射部材９が組込み易くなり、第１の反射部材９の組込み不良によるフィルム給送動作、及びピント調整不良を確実に防止することができると共に、構成する部品点数、及び組立て作業工数の削減を図ることができる。
【００５４】
また、連結部１１を圧板６のフィルム押圧部６ａより低い位置に配置することで、フィルム給送時に発生するフィルム擦り傷を防止することができる。また、連結部１１の突起部１１ａを回路のＧＮＤパターンと接続させることで、フィルム給送時に発生する静電気を逃がすことができ、カメラ動作不良を確実に防止することができる。
【実施例３】
【００５５】
本発明の実施例３に係るカメラを図１０から図１３を参照しながら説明する。図１０は圧板の構成を示す前方分解斜視図、図１１は圧板の構成を示す後方分解斜視図、図１２は図１０における圧板の前方斜視図、図１３は図１１における圧板の後方斜視図である。
実施例３において、実施例１と同じ構成要素には同じ参照番号を付してその説明を省略し、実施例１と異なる構成に関してのみ説明する。
【００５６】
実施例３で実施例１と異なるのは、カメラ本体１にフォトリフレクタ７を固定し、圧板６にフォトリフレクタ７から投光される光を反射させる第２の反射部材１５、１６を設けると共に、第２の反射部材１５、１６を連結部１１でフィルム押え部材１０と一体的に連結していることのみである。
【００５７】
第２の反射部材１５は、フィルムの１駒割り出し及び給送速度の検出制御を行うフォトリフレクタ７から投光される光を反射させ、再度フォトリフレクタ７に導いている。また、第２の反射部材１６は、磁気ヘッド８によるフィルム磁気記録層への情報記録制御を行うフォトリフレクタ７から投光される光を反射させ、再度フォトリフレクタ７に導いている。上記構成により、圧板６には第２の反射部材１５、１６組込時に挿入する挿入口６ｍと、フォトリフレクタ７から投光される光を第２の反射部材１５、１６に導く開口部６ｎが形成されている。
【００５８】
本実施例では、連結部１１、突起部１１ａ、第２の反射部材１５、１６が、圧板６のフィルム押圧部６ａの裏側に配置される構成になっているが、実施例２に示すように、圧板６のフィルム押圧部６ａ側に配置しても良い。また、第２の反射部材１５、１６と２個のフォトリフレクタ７で構成されているが、第２の反射部材１５と１個のフォトリフレクタ７で構成しても良い。
【００５９】
上記説明したように、実施例３によれば、フィルム押え部材１０と第２の反射部材１５、１６とを一体化することで、第２の反射部材１５、１６が組込み易くなり、第２の反射部材１５、１６の組込み不良によるフィルム給送動作を確実に防止することができると共に、構成する部品点数、及び組立て作業工数の削減を図ることができる。また、連結部１１を圧板６のフィルム押圧部６ａの裏側に配置することで、フィルム給送時に発生するフィルム擦り傷を確実に防止することができる。
【００６０】
また、連結部１１の突起部１１ａを回路のＧＮＤパターンと接続させることで、フィルム給送時に発生する静電気を逃がすことができ、カメラ動作不良を確実に防止することができる。また、カメラ本体１に組込んだ時にチャージされるフィルム押え部材１０のバネ圧を利用して圧板６に保持することで、接着やビス止めの工程が不要となり、部品交換が容易にできる。
【実施例４】
【００６１】
本発明の実施例４に係るカメラを図１４から図１６を参照しながら説明する。図１４は圧板の構成を示す前方分解斜視図、図１５は圧板の構成を示す後方分解斜視図、図１６は図１４における圧板の前方斜視図である。
【００６２】
実施例４において、実施例１と同じ構成要素には同じ参照番号を付してその説明を省略し、実施例１と異なる構成に関してのみ説明する。
【００６３】
実施例４は、実施例１と実施例３を組合わせた構成になっている。即ち、連結部１１で第１の反射部材９とフィルム押え部材１０と第２の反射部材１５、１６を一体的に連結していることのみである。
【００６４】
本実施例では、第１の反射部材９、連結部１１、突起部１１ａ、第２の反射部材１５、１６が、圧板６のフィルム押圧部６ａの裏側に配置される構成になっているが、実施例２に示すように、圧板６のフィルム押圧部６ａ側に配置しても良い。また、第２の反射部材１５、１６と２個のフォトリフレクタ７で構成されているが、第２の反射部材１５と１個のフォトリフレクタ７で構成しても良い。
【００６５】
上記説明したように、実施例４によれば、第１の反射部材９とフィルム押え部材１０と第２の反射部材１５、１６とを一体化することで、第１の反射部材９と第２の反射部材１５、１６が組込み易くなり、第１の反射部材９と第２の反射部材１５、１６の組込み不良によるフィルム給送動作を確実に防止することができると共に、構成する部品点数、及び組立て作業工数の削減を図ることができる。
【００６６】
また、連結部１１を圧板６のフィルム押圧部６ａと対向する位置に配置することで、フィルム給送時に発生するフィルム擦り傷を確実に防止することができる。また、連結部１１の突起部１１ａを回路のＧＮＤパターンと接続させることで、フィルム給送時に発生する静電気を逃がすことができ、カメラ動作不良を確実に防止することができる。また、カメラ本体１に組込んだ時にチャージされるフィルム押え部材１０のバネ圧を利用して圧板６に保持することで、接着やビス止めの工程が不要となり、部品交換が容易にできる。
【実施例５】
【００６７】
本発明の実施例５に係るカメラを図１７から図１９を参照しながら説明する。図１７は圧板の構成を示す前方分解斜視図、図１８は圧板の構成を示す後方分解斜視図、図１９は図１８における圧板の前方斜視図である。
【００６８】
実施例５において、実施例４と同じ構成要素には同じ参照番号を付してその説明を省略し、実施例４と異なる構成に関してのみ説明する。
【００６９】
実施例５は、連結部１１で第１の反射部材９と第２の反射部材１５、１６を一体的に連結していることのみである。
【００７０】
本実施例では、第１の反射部材９、連結部１１、突起部１１ａ、第２の反射部材１５、１６が、圧板６のフィルム押圧部６ａの裏側に配置される構成になっているが、実施例２に示すように、圧板６のフィルム押圧部６ａ側に配置しても良い。また、第２の反射部材１５、１６と２個のフォトリフレクタ７で構成されているが、第２の反射部材１５と１個のフォトリフレクタ７で構成しても良い。
【００７１】
上記説明したように、実施例５によれば、第１の反射部材９と第２の反射部材１５、１６とを一体化することで、第１の反射部材９と第２の反射部材１５、１６が組込み易くなり、第１の反射部材９と第２の反射部材１５、１６の組込み不良によるフィルム給送動作を確実に防止することができると共に、構成する部品点数、及び組立て作業工数の削減を図ることができる。
【００７２】
また、連結部１１を圧板６のフィルム押圧部６ａの裏側に配置することで、フィルム給送時に発生するフィルム傷を確実に防止することができる。また、連結部１１の突起部１１ａを回路のＧＮＤパターンと接続させることで、フィルム給送時に発生する静電気を逃がすことができ、カメラ動作不良を確実に防止することができる。
【実施例６】
【００７３】
本発明の実施例６に係るカメラを図２０から図２２を参照しながら説明する。図２０は圧板の組込み状態を示すカメラ本体の前方分解斜視図、図２１は図２０における圧板の構成を示す前方分解斜視図、図２２は図２０における圧板の構成を示す後方分解斜視図である。
【００７４】
２１はカメラ本体で、カメラ本体２１の左側にはフィルムパトローネを収納するパトローネ収納室２１ａと、カメラ本体２１の右側には巻き取ったフィルムを収納するフィルム巻取り室２１ｂと、カートリッジ収納室２１ａとフィルム巻取り室２１ｂとの間には撮影画面を形成する長方形状したアパーチャ２１ｃが形成されている。また、アパーチャ２１ｃの上下位置にはそれぞれフィルム給送方向に延びる不図示の内レールと外レールが形成されている。
【００７５】
２２は裏蓋で、カメラ本体２１のアパーチャ２１ｃと対向する位置に配置されヒンジ軸２３によりカメラ本体２１に開閉可能に嵌合支持され、カメラ本体２１の背面の開口部(パトローネ収納室２１ａ、フィルム巻取り室２１ｂ、アパーチャ２１ｃ)を開閉する。この裏蓋２２には、後述する圧板２４を保持する係止爪２２ａが上下に形成されている。
【００７６】
２４は圧板で、裏蓋２２の内面に配置されており、圧板２４の上下に形成された係止溝２２ｄを裏蓋２２の係止爪２２ａに係止されることで、裏蓋２２に保持され、裏蓋２２を閉じた時に、圧板２４のフィルム押圧部２４ａがカメラ本体２１の外レールに当接することで、圧板２４のフィルム押圧部２４ａとカメラ本体２１の内レールとの間にフィルムを走行させる隙間を構成すると共に、フィルムをカメラ本体２１のアパーチャ２１ｃ方向に押圧保持している。この圧板２４には、後述する付勢部材２５の反射面２５ａをフィルム走行部に貫通させる開口部２４ｂと、付勢部材２５を支持する支持軸２２ｃが形成されている。
【００７７】
２５は付勢部材で、圧板２４をカメラ本体２１のアパーチャ２１ｃ方向に付勢している。この付勢部材２５は、圧板２４の支持軸２４ｃに支持され、裏蓋２２と圧板２4との間に配置されており、裏蓋２２を閉じた時に、圧板２２によりチャージされる。この付勢部材２５には、組立て時やサービス調整時に、不図示の撮影レンズのピント調整を行う時、ピント測定器から照射されるピント調整光を反射させる凸形状の反射面２５ａ(反射部)が、不図示の撮影レンズ光軸上に形成されており、圧板２４の開口部２４ｂを貫通している。開口部２４ｂを貫通した反射面２５ａの光軸方向の高さは、フィルム押圧部２４ａと同じになっている。
【００７８】
上記説明したように、実施例６によれば、付勢部材２５にピント調整用の反射面２５ａを設けたことで、ピント調整時、圧板上に装着されるピント調整工具、及び面倒なピント調整工具の着脱作業が不要になる。
【図面の簡単な説明】
【００７９】
【図１】本発明の実施例１で、圧板の組込み状態を示すカメラ本体の後方分解斜視図である。
【図２】本発明の実施例１で、図１における圧板の構成を示す前方分解斜視図である。
【図３】本発明の実施例１で、図１における圧板の構成を示す後方分解斜視図ある。
【図４】本発明の実施例１で、図２における圧板の前方斜視図である。
【図５】本発明の実施例１で、図３における圧板の後方斜視図である。
【図６】本発明の実施例１で、図１におけるカメラ本体の巻取りフィルム巻取り室を示すカメラ本体の中央横断面図である。
【図７】本発明の実施例２で、圧板の構成を示す前方分解斜視図である。
【図８】本発明の実施例２で、圧板の構成を示す後方分解斜視図である。
【図９】本発明の実施例２で、図７における圧板の前方斜視図である。
【図１０】本発明の実施例３で、圧板の構成を示す前方分解斜視図である。
【図１１】本発明の実施例３で、圧板の構成を示す後方分解斜視図である。
【図１２】本発明の実施例３で、図１０における圧板の前方斜視図である。
【図１３】本発明の実施例３で、図１１における圧板の後方斜視図である。
【図１４】本発明の実施例４で、圧板の構成を示す前方分解斜視図である。
【図１５】本発明の実施例４で、圧板の構成を示す後方分解斜視図である。
【図１６】本発明の実施例４で、図１４における圧板の前方斜視図である。
【図１７】本発明の実施例５で、圧板の構成を示す前方分解斜視図である。
【図１８】本発明の実施例５で、圧板の構成を示す後方分解斜視図である。
【図１９】本発明の実施例５で、図１８における圧板の前方斜視図である。
【図２０】本発明の実施例６で、圧板の組込み状態を示すカメラ本体の前方分解斜視図である。
【図２１】本発明の実施例６で、図２０における圧板の構成を示す前方分解斜視図である。
【図２２】本発明の実施例６で、図２０における圧板の構成を示す後方分解斜視図である。
【符号の説明】
【００８０】
１、２１・・・カメラ本体
１ｂ・・・フィルム巻取り室
１ｃ、２１ｃ・・・アパーチャ
１ｄ・・・内レール
１ｅ・・・外レール
１ｆ・・・開口部
２・・・スプール
６、２４・・・圧板
６ａ、２４ａ・・・フィルム押圧部
６ｅ、６ｌ、６ｎ、２４ｂ・・・開口部
６ｆ・・・規制部
６ｇ・・・挿入口
６ｈ、２４ｃ・・・支持軸
６ｊ・・・凹部
６ｋ・・・係止孔
９・・・第１の反射部材
９ａ、２５ａ・・・反射部
９ｂ・・・係止爪
１０・・・フィルム押え部材
１０ａ・・・先端部
１１・・・連結部
１１ａ・・・突起部
１２・・・ローラー
１３・・・基板
１５、１６・・・第２の反射部材
２２・・・裏蓋
２５・・・付勢部材
【図１】
2005128434.tif 000003
【図２】
2005128434.tif 000004
【図３】
2005128434.tif 000005
【図４】
2005128434.tif 000006
【図５】
2005128434.tif 000007
【図６】
2005128434.tif 000008
【図７】
2005128434.tif 000009
【図８】
2005128434.tif 000010
【図９】
2005128434.tif 000011
【図１０】
2005128434.tif 000012
【図１１】
2005128434.tif 000013
【図１２】
2005128434.tif 000014
【図１３】
2005128434.tif 000015
【図１４】
2005128434.tif 000016
【図１５】
2005128434.tif 000017
【図１６】
2005128434.tif 000018
【図１７】
2005128434.tif 000019
【図１８】
2005128434.tif 000020
【図１９】
2005128434.tif 000021
【図２０】
2005128434.tif 000022
【図２１】
2005128434.tif 000023
【図２２】
2005128434.tif 000024